(57)【要約】【課題】より好適にエスカレータ制御盤を保守点検することを可能とするエスカレータを提供することである。【解決手段】エスカレータ１は、上部機械室１０内に設けられるエスカレータ制御盤８と、上部機械室１０内に出入りするための開口部１１と、開口部１１を塞ぐ蓋部１４と、蓋部１４を開けて保守作業を行う際に、油圧を利用してエスカレータ制御盤８が開口部１１から上部機械室１０外に突出するようにエスカレータ制御盤８を昇降させるための昇降装置１６と、昇降装置１６の昇降動作を指令するための操作部２９と、を備える。【選択図】図１
2013173585.tif 000002
【特許請求の範囲】
【請求項１】
機械室内に設けられるエスカレータ制御盤と、
前記機械室内に出入りするための開口部と、
前記開口部を塞ぐ蓋部と、
前記蓋部を開けて保守作業を行う際に、空気圧又は油圧を利用して前記エスカレータ制御盤が前記開口部から前記機械室外に突出するように前記エスカレータ制御盤を昇降させるための昇降装置と、
前記昇降装置の前記昇降動作を指令するための操作部と、
を備えることを特徴とするエスカレータ。
【請求項２】
請求項１に記載のエスカレータにおいて、
前記操作部は、前記開口部の近傍に設けられる足踏み式ペダルを含むことを特徴とするエスカレータ。
【請求項３】
請求項１または請求項２に記載のエスカレータにおいて、
前記エスカレータ制御盤は、
前記開口部から突出したときに前記機械室外に引っ張り出すための取っ手をさらに備えることを特徴とするエスカレータ。
【請求項４】
請求項１から請求項３のいずれか１項に記載のエスカレータにおいて、
前記エスカレータ制御盤は、
前記機械室外に引っ張り出された際に底面側となる側面に設けられた駒部をさらに備えることを特徴とするエスカレータ。
【発明の詳細な説明】
【技術分野】
【０００１】
本発明は、エスカレータに関する。
【背景技術】
【０００２】
現在、商業施設等の様々な場所において、エスカレータが設置されている。エスカレータには、機械室の内部においてエスカレータ全体の制御を行うエスカレータ制御盤が設置されている。
【０００３】
本発明に関連する技術として、例えば、特許文献１には、マンホール蓋に着脱可能に連結される連結部を有し、上記連結部に連結された上記マンホール蓋を上下動させる持上手段と、この持上手段を上記マンホール蓋とともに移動させる移動手段とを備えるマンホール蓋開閉装置が開示されている。
【先行技術文献】
【特許文献】
【０００４】
【特許文献１】特開平９−１０４５８３号公報
【発明の概要】
【発明が解決しようとする課題】
【０００５】
ところで、必要に応じてエスカレータ制御盤の保守点検を行う必要がある。しかし、機械室は狭くて暗いため作業しづらく、エスカレータ制御盤を機械室外に取り出して保守点検することが望ましい。ところが、エスカレータ制御盤は、複数枚の基盤や部品等を含んでいるため、重量が大きく、機械室外に取り出すのに労力が必要である。
【０００６】
本発明の目的は、より好適にエスカレータ制御盤を保守点検することを可能とするエスカレータを提供することである。
【課題を解決するための手段】
【０００７】
本発明に係るエスカレータは、機械室内に設けられるエスカレータ制御盤と、前記機械室内に出入りするための開口部と、前記開口部を塞ぐ蓋部と、前記蓋部を開けて保守作業を行う際に、空気圧又は油圧を利用して前記エスカレータ制御盤が前記開口部から前記機械室外に突出するように前記エスカレータ制御盤を昇降させるための昇降装置と、前記昇降装置の前記昇降動作を指令するための操作部と、を備えることを特徴とする。
【０００８】
また、本発明に係るエスカレータにおいて、前記操作部は、前記開口部の近傍に設けられる足踏み式ペダルを含むことが好ましい。
【０００９】
また、本発明に係るエスカレータにおいて、前記エスカレータ制御盤は、前記開口部から突出したときに前記機械室外に引っ張り出すための取っ手をさらに備えることが好ましい。
【００１０】
また、本発明に係るエスカレータにおいて、前記エスカレータ制御盤は、前記機械室外に引っ張り出された際に底面側となる側面に設けられた駒部をさらに備えることが好ましい。
【発明の効果】
【００１１】
本発明によれば、より好適にエスカレータ制御盤を保守点検することができる。
【図面の簡単な説明】
【００１２】
【図１】本発明に係る実施の形態において、エスカレータの構成図である。
【図２】本発明に係る実施の形態において、保守作業員が蓋部を開けてエスカレータ制御盤の保守点検をしている様子を示す図である。
【図３】本発明に係る実施の形態において、保守作業員がエスカレータ制御盤を保守点検する際の手順を示すフローチャートである。
【図４】本発明に係る実施の形態において、昇降装置の変形例を示す図である。
【発明を実施するための形態】
【００１３】
以下では、全ての図面において同様の要素には同一の符号を付し、重複する説明を省略する。また、本文中の説明においては、必要に応じそれ以前に述べた符号を用いるものとする。
【００１４】
図１は、エスカレータ１の構成図である。エスカレータ１は、高低差のある乗場床２と降場床３との間で乗客を移動させる装置である。エスカレータ１は、乗客が乗るステップ４と、それぞれのステップ４が連結されるステップチェーン５と、ステップチェーン５を駆動する主駆動装置６と、移動手摺７を駆動する手摺駆動装置（不図示）と、主駆動装置６及び手摺駆動装置を制御するエスカレータ制御盤８とを含んで構成される。
【００１５】
ステップ４は、乗客が同一のステップに二人乗れる程度に大きい幅を有している。エスカレータ１が運転状態にある場合には、複数のステップ４は、地面に対して水平な状態を保ちつつ移動する。ステップ４は、往路側となる部分は乗客が乗るためにトラス９から露出して移動しているが、復路側はトラス９内を移動している。
【００１６】
ステップチェーン５は、トラス９内に設けられ、図示されていない適当な軸部材を介して、それぞれのステップ４を連結し、主駆動装置６の駆動力をそれぞれのステップ４に伝達するものである。また、ステップチェーン５は、エスカレータ１のステップ４の左右両側に１本ずつ配置されている。
【００１７】
主駆動装置６は、上部機械室１０内に設けられ、エスカレータ１を駆動する駆動力を出力する装置で、例えば、電動機と減速歯車等から構成される。主駆動装置６により出力された駆動力は、図示されていない駆動伝達手段を介してステップチェーン５に伝達される。主駆動装置６は、上部機械室１０内に設けられる。
【００１８】
無端状の移動手摺７は、乗客が手を添え、または掴まる部分であり、ステップ４の動きと同期して移動する。
【００１９】
図２は、保守作業員１５が蓋部１４を開けてエスカレータ制御盤８の保守点検をしている様子を示す図である。エスカレータ制御盤８は、エスカレータ１の上部機械室１０内に設けられる。エスカレータ制御盤８は、主駆動装置６及び手摺駆動装置を含むエスカレータ１全体を制御する制御装置である。エスカレータ制御盤８は、半導体回路等の電子機器等が複数設けられた基板を複数有するため重量が大きく、例えば、２０ｋｇ〜３０ｋｇの重量を有する。エスカレータ制御盤８の外形は、直方体であり、その上面には、エスカレータ制御盤８が開口部１１から上部機械室１０外に突出したときに引っ張り出すための取っ手１２が取り付けられている。エスカレータ制御盤８及び取っ手１２は、適当な強度を有する材料、例えば、ステンレスや鉄等を用いて構成することができる。また、エスカレータ制御盤８の側面のうち、取っ手１２を用いてエスカレータ制御盤８を傾けて引っ張り出す際に、底面側となる側面８Ｂには２つの駒部１３が所定の間隔を空けて取り付けられている。なお、駒部１３は、側面８Ｂのうち取っ手１２とは反対側に位置するように設けられることが好適である。なお、エスカレータ制御盤８は、上部機械室１０内において、昇降装置１６の上側平板２７に載置されている。
【００２０】
上部機械室１０には、保守作業員１５が上部機械室１０内部に入り込んで作業するための開口部１１が設けられている。そして、開口部１１は、保守点検作業中でない通常運転時は、図１に示されるように、蓋部１４によって塞がれている。
【００２１】
昇降装置１６は、保守作業員１５が蓋部１４を開けて保守作業を行う際に、油圧を利用してエスカレータ制御盤８が開口部１１から上部機械室１０外に突出するようにエスカレータ制御盤８を昇降させるための装置である。昇降装置１６は、作動油タンク１７と、供給用配管１８と、排出用配管１９と、供給用ポンプ２０と、排出用ポンプ２１と、供給用弁２２と、排出用弁２３と、シリンダ２４と、プランジャ２５と、上下方向に伸縮可能なパンタグラフ２６と、上側平板２７と、下側平板２８とを備える。
【００２２】
作動油タンク１７は、上部機械室１０の隅に設けられており、作動油が貯留されたタンクである。
【００２３】
供給用配管１８は、作動油タンク１７とシリンダ２４とを連通し、作動油タンク１７からシリンダ２４内に作動油を供給するための配管である。供給用ポンプ２０は、操作部２９からの指令を受けた制御部３０の制御によって、作動油タンク１７からシリンダ２４内に作動油を送りこむために作動するポンプである。供給用弁２２は、操作部２９からの指令を受けた制御部３０の制御によって、作動油タンク１７からシリンダ２４内に作動油を送りこむ際に開弁する弁体である。
【００２４】
排出用配管１９は、作動油タンク１７とシリンダ２４とを連通し、シリンダ２４内から作動油タンクに作動油を戻すための配管である。排出用ポンプ２１は、操作部２９からの指令を受けた制御部３０の制御によって、シリンダ２４内から作動油タンク１７に作動油を戻すために作動するポンプである。排出用弁２３は、操作部２９からの指令を受けた制御部３０の制御によって、シリンダ２４内から作動油タンク１７に作動油を戻す際に開弁する弁体である。
【００２５】
シリンダ２４は、略円筒形状をなしている。プランジャ２５は、その下端部がシリンダ２４の内部に挿入されて、上方へ突出し、上端部がパンタグラフ２６の中央部に固定される部材である。プランジャ２５のシリンダ２４からの突出量が大きくなるにつれて、パンタグラフ２６が伸びていく。すなわち、パンタグラフ２６の上部に設けられる上側平板２７とパンタグラフ２６の下部に設けられる下側平板２８との間の距離が大きくなる。
【００２６】
操作部２９は、保守作業員１５がエスカレータ制御盤８を上部機械室１０外に取り出す際に操作するための装置であり、制御信号線を介して接続される制御部３０に対して指令を与える装置である。操作部２９は、通常時は上部機械室１０を構成する壁面のうち、蓋部１４の近傍に磁石等を用いて固定されている。そして、保守作業員１５は、保守作業を行う際に、蓋部１４を開け、開口部１１から操作部２９を上部機械室１０外に取り出して、操作部２９を開口部１１の近傍に置く。操作部２９は、２つの足踏みペダル２９ａ，２９ｂからなり、一方の足踏みペダル２９ａは昇降装置１６によってエスカレータ制御盤８を上昇させるためのペダルであり、他方の足踏みペダル２９ｂは、昇降装置１６によってエスカレータ制御盤８を下降させるためのペダルである。
【００２７】
制御部３０は、上部機械室１０内に設けられ、供給用ポンプ２０、排出用ポンプ２１、供給用弁２２及び排出用弁２３を制御する。制御部３０は、足踏みペダル２９ａが踏まれた場合は、供給用ポンプ２０を作動させ、供給用弁２２を開弁させる。また、制御部３０は、足踏みペダル２９ｂが踏まれた場合は、排出用ポンプ２１を作動させ、排出用弁２３を開弁させる。
【００２８】
続いて、保守作業員１５がエスカレータ１のエスカレータ制御盤８を保守点検する際の手順について説明する。図３は、保守作業員１５がエスカレータ制御盤８を保守点検する際の手順を示すフローチャートである。
【００２９】
まず、エスカレータ１の蓋部１４を開ける（Ｓ２）。これにより、上部機械室１０の開口部１１が露出するため、保守作業員１５は、上部機械室１０内に出入りすることができる。
【００３０】
次に、操作部２９を上部機械室１０内から取り出して、図２に示されるように、開口部１１の近傍に置く（Ｓ４）。これにより、開口部１１から上部機械室１０内のエスカレータ制御盤８の昇降状況を見ながら、操作部２９を操作することができる。
【００３１】
そして、操作部２９の足踏みペダル２９ａを踏む（Ｓ６）。これにより、供給用弁２２が開弁するとともに供給用ポンプ２０が作動して、作動油タンク１７からシリンダ２４内に作動油が流れ込む。したがって、プランジャ２５の突出量が増加してパンタグラフ２６が伸びることで上側平板２７が開口部１１まで上昇し、エスカレータ制御盤８が開口部１１から突出する。保守作業員１５は、この状態で保守点検を行ってもよく、場合によっては取っ手１２に手を掛けて図２の矢印Ａ方向にエスカレータ制御盤８を傾けて引っ張り出し、エスカレータ制御盤８を広い場所に移動させて作業することができる。このとき、エスカレータ制御盤８の底面側には駒部１３が配置されているため、駒部１３を用いてエスカレータ制御盤８を容易に移動させることができる。
【００３２】
保守点検を終えた後は、再び、エスカレータ制御盤８を上側平板２７の上に載置する（Ｓ８）。なお、上述したように、エスカレータ制御盤８を上側平板２７に載置したままで保守点検を行った場合は、Ｓ８工程は省略することができる。
【００３３】
次いで、操作部２９の足踏みペダル２９ｂを踏む（Ｓ１０）。これにより、排出用弁２３が開弁するとともに排出用ポンプ２１が作動して、シリンダ２４内から作動油タンク１７に作動油が戻される。したがって、プランジャ２５の突出量が減少してパンタグラフ２６が縮んで、図１に示されるように、上側平板２７と下側平板２８がほぼ接触するような状態となり、エスカレータ制御盤８が上部機械室１０内に完全に収納される。
【００３４】
その後、操作部２９を再び上部機械室１０内部に取り付け（Ｓ１２）、エスカレータ１の蓋部１４を閉じる（Ｓ１４）。
【００３５】
上記エスカレータ１の作用について説明する。エスカレータ１によれば、エスカレータ制御盤８を保守点検する際に、操作部２９を操作することにより、昇降装置１６の上側平板２７を上昇させてエスカレータ制御盤８を開口部１１から突出させることができる。したがって、保守作業員１５は、重量の大きいエスカレータ制御盤８を人力で上部機械室１０外に取り出す必要がないため、容易にエスカレータ制御盤８の点検を行うことができる。また、エスカレータ１では、足踏みペダル２９ａ，２９ｂを有する操作部２９を開口部１１の近傍に配置することができる。したがって、保守作業員１５は、エスカレータ制御盤８の上昇状況を見ながら操作部２９を操作できる。
【００３６】
次に、エスカレータ１の変形例について説明する。エスカレータ１の変形例とエスカレータ１の相違は、昇降装置３１のみであるため、その相違点を中心に説明する。
【００３７】
昇降装置３１は、昇降装置１６のように油圧を用いるのではなく、空気圧を利用している。昇降装置３１は、柔軟性部材３２と、圧縮機３３と、吸引機３４と、圧縮用チューブ３５と、吸引用チューブ３６と、圧縮用弁３７と、吸引用弁３８とを備える。
【００３８】
柔軟性部材３２は、適当な柔軟性を有するゴム部材で構成され、内部に空気が導入されることで膨張し、内部から空気が排出されることで収縮する。柔軟性部材４４には、圧縮機３３からの空気を導入するための孔と、吸引機３４によって空気を排出するための孔とが設けられている。
【００３９】
圧縮機３３は、柔軟性部材３２の孔を介し、柔軟性部材３２の内部に空気を導入するために吐き出しを行うコンプレッサーである。圧縮機３３によって、柔軟性部材３２の内部に空気が導入されると、柔軟性部材３２が膨張することができる。圧縮用チューブ３５は、圧縮機３３と柔軟性部材３２とを連通する部材である。圧縮用弁３７は、圧縮用チューブ３５上に設けられる弁である。なお、圧縮機３３及び圧縮用弁３７の制御は、操作部２９からの指令を受けた制御部３０によって行われる。
【００４０】
吸引機３４は、柔軟性部材３２の孔を介し、柔軟性部材３２の内部から空気を排出するために吸引を行うバキュームである。吸引機３４によって、柔軟性部材３２の内部から空気が排出されると、柔軟性部材３２が収縮することができる。吸引用チューブ３６は、吸引機３４と柔軟性部材３２とを連通する部材である。吸引用弁３８は、吸引用チューブ３６上に設けられる弁である。なお、吸引機３４及び吸引用弁３８の制御は、操作部２９からの指令を受けた制御部３０によって行われる。
【００４１】
ここで、操作部２９と制御部３０との関係は、エスカレータ１と同様のため、詳細な説明は省略するが、制御部３０の制御対象が異なるため、その点について説明する。制御部３０は、上部機械室１０内部に設けられ、圧縮機３３、吸引機３４、圧縮用弁３７及び吸引用弁３８を制御する。制御部３０は、足踏みペダル２９ａが踏まれた場合は、圧縮機３３を作動させ、圧縮用弁３７を開弁させる。また、制御部３０は、足踏みペダル２９ｂが踏まれた場合は、吸引機３４を作動させ、吸引用弁３８を開弁させる。これにより、柔軟性部材３２が膨張又は収縮することで上側平板２７が昇降する。したがって、エスカレータ１の変形例は、エスカレータ１と同様にエスカレータ制御盤８を開口部１１から容易に突出させることができるため、エスカレータ１と同様の効果を奏する。
【符号の説明】
【００４２】
１  エスカレータ、２  乗場床、３  降場床、４  ステップ、５  ステップチェーン、６  主駆動装置、７  移動手摺、８  エスカレータ制御盤、８Ｂ  側面、９  トラス、１０  上部機械室、１１  開口部、１２  取っ手、１３  駒部、１４  蓋部、１５  保守作業員、１６  昇降装置、１７  作動油タンク、１８  供給用配管、１９  排出用配管、２０  供給用ポンプ、２１  排出用ポンプ、２２  供給用弁、２３  排出用弁、２４  シリンダ、２５  プランジャ、２６  パンタグラフ、２７  上側平板、２８  下側平板、２９  操作部、２９ａ，２９ｂ  足踏みペダル、３０  制御部、３１  昇降装置、３２  柔軟性部材、３３  圧縮機、３４  吸引機、３５  圧縮用チューブ、３６  吸引用チューブ、３７  圧縮用弁、３８  吸引用弁。
【図１】
2013173585.tif 000003
【図２】
2013173585.tif 000004
【図３】
2013173585.tif 000005
【図４】
2013173585.tif 000006